(57)【特許請求の範囲】
【請求項１】
同一ハウジング内に電動機と可変容量形ポンプとが同軸結合された一体型ユニット構造で格納されているモータ一体型油圧ポンプ装置において、
端面にマークが施された回転検出軸と、
装置を密閉するとともに、回転検出軸の端面を外部から観察するための透明蓋と、
回転検出軸と電動機回転軸とを連結し、電動機回転軸が一方向に回転したときにのみ回転力を回転検出軸に伝達する回転伝達機構と、
を備えたことを特徴とするモータ一体型油圧ポンプ装置。
【発明の詳細な説明】
【０００１】
【発明の属する技術分野】
本発明は、例えば射出成型機に駆動源として用いられる油圧ポンプ装置に関するものであり、特にモータ一体型油圧ポンプ装置に関するものである。
【０００２】
【従来の技術】
例えば、射出成型機の型締シリンダや射出シリンダ等のアクチュエータは油圧によって駆動されるものがある。近年では、その駆動源として、ピストンのストローク運動を利用して作動油の吸入・吐出を行ういわゆるアキシャルピストン形可変容量形ポンプを、油浸型電動機と同軸配置して一つのハウジング内に格納されたモータ一体型油圧ポンプ装置が一般的に知られている。
【０００３】
このモータ一体型油圧ポンプ装置では、モータは外扇を設けず油冷却による油浸構造となっている。また、モータはハウジング内に配置され、運動シール部分がなく、装置全体は密閉状態となっている。このため、モータ一体型油圧ポンプ装置は、モータの駆動による騒音を防止できる点、装置全体のコンパクト化を図れる点、及び油の外部漏れの危険性を回避できる点で優れている。
【０００４】
【発明が解決しようとする課題】
しかしながら、このような従来のモータ一体型油圧ポンプ装置には、次のような問題点がある。モータが本体外部に配置されている通常の油圧ポンプ装置では、モータの回転軸が外部に露出しているため、モータの外扇の回転方向を外部から確認できる。しかし、モータ一体型油圧ポンプ装置では、モータがハウジング内に配置され密閉されているため、モータの回転軸の回転方向を装置外部から確認することができない。このため、モータが逆回転して、油圧ポンプ装置を正常動作させることができないおそれがあるという問題がある。
【０００５】
また、電動機を回転しても、圧力が上がらないので、モータの逆回転による誤動作を、回路上の問題と混同してしまうという問題がある。
【０００６】
この問題を解決するために、モータ駆動後、一定時間経過しても油が吐出されない場合には、モータが逆回転していると判断し、作業者が結線を換え、モータを正回転させる方法も考えられる。しかし、この方法では、モータの始動直後にモータの回転方向を判断することができないため、無駄な時間を要し、作業効率が低下するという問題がある。
【０００７】
本発明はこのような問題点に鑑みてなされたものであり、騒音防止、装置のコンパクト化、油の外部漏れ防止を図りつつ、電動機の回転方向を外部から検出することにより、正確かつ安全に動作させることができるモータ一体型油圧ポンプ装置を提供することを主な目的とする。また、本発明の別の目的は、電動機の回転方向を外部から直ちに検出することにより、作業効率を向上させることができるモータ一体型油圧ポンプ装置を提供することである。本発明の別の目的は、電動機の回転方向を外部から直ちに検出することにより、作業者に無用な混乱を生じさせないモータ一体型油圧ポンプ装置を提供することである。
【０００８】
【課題を解決するための手段】
上述の目的を達成するため、請求項１に係る発明は、同一ハウジング内に電動機と可変容量形ポンプとが同軸結合された一体型ユニット構造で格納されているモータ一体型油圧ポンプ装置において、端面にマークが施された回転検出軸と、装置を密閉するとともに、回転検出軸の端面を外部から観察するための透明蓋と、回転検出軸と電動機回転軸とを連結し、電動機回転軸が一方向に回転したときにのみ回転力を回転検出軸に伝達する回転伝達機構と、を備えたことを特徴とする。
【０００９】
本発明では、電動機回転軸とは別に設けられた回転検出軸の端面にマークが施され、装置本体の回転検出軸端面側に透明蓋が設けられているので、この透明蓋を通して外部から回転検出軸の端面を観察することができる。一方、電動機回転軸と回転検出軸とは回転伝達機構によって連結されており、回転伝達機構は、電動機回転軸が一方向に回転したときにのみ回転力を回転検出軸に伝達する。このため、マークが停止しているか、回転しているかを透明蓋を通して外部から確認することにより、電動機回転軸の回転方向を確認することが可能となる。
【００１０】
例えば、回転伝達機構を、電動機回転軸が逆回転したときに回転力を回転検出軸に伝達し、電動機回転軸が正回転したときには、空転するように構成すれば、電動機回転軸が正回転している場合には、回転検出軸端面のマークは停止状態にあり、電動機回転軸が逆回転している場合には、回転検出軸端面のマークは電動機回転軸の回転に同期して回転する。このため、装置外部から透明蓋を通して回転検出軸端面のマークの回転状況によって、電動機回転軸の回転方向を検出することが可能となる。
【００１１】
また、本発明でも、透明蓋は装置を密閉するものであるため、騒音防止、装置のコンパクト化、油の外部漏れ防止というモータ一体型油圧ポンプ装置の利点を備えながら、電動機回転軸の回転方向を装置外部から検出することができ、油圧ポンプを正確かつ安全に動作させることが可能となる。
【００１２】
また、本発明でも、作業者は、透明蓋を通して装置外部からマークの回転状況を確認することができるので、電動機の始動直後に電動機回転軸の回転方向を検出して、所望の作業を行うことができ、作業効率を向上させることが可能となる。更に、装置が誤動作した場合でも、装置外部からモータの回転方向を確認できるので、誤動作がモータの逆回転を原因とするものか否かを瞬時に判断することができ、作業者に無用な混乱を起こさせることを回避することができる。
【００１３】
本発明における回転伝達機構は、電動機回転軸と回転検出軸とを連結し、かつ回転軸が一方向に回転したときにのみ回転力を回転検出軸に伝達できるものであれば、その構成は特に限定されるものではない。例えば、回転伝達機構として、回転軸の一方向の回転のときに回転軸と噛み合い、他方向への回転では噛み合わないクラッチを用いることができる。
【００１４】
また、マークの形状は、回転検出軸端面が回転しているか、停止しているかを判別できるものであれば良く、円形状、角形状、渦巻状の任意の形状とすることができる。
【００１５】
透明蓋は、電動機回転軸の端面を装置外部から確認できるものであれば良く、半透明な蓋も含まれる。
【００１６】
回転検出軸は、回転伝達機構からの回転力の伝達により、軸を中心として回転できるものであれば、その構成、配置は特に限定されるものではない。例えば、回転検出軸を電動機回転軸の配置とは無関係に配置することができる。また、回転検出軸を、電動機回転軸と同軸配置されるように構成してもよい。この場合には、装置全体を更にコンパクトにすることが可能となる。
【００１７】
【発明の実施の形態】
本発明の好ましい実施形態について、以下図示例とともに説明する。図１は、第一実施形態に係るモータ一体型油圧ポンプ装置の全体構成図を示す。図１に示すように、第一実施形態に係るモータ一体型油圧ポンプ装置は、ハウジング１内が、隔壁によって電動モータ室とポンプ室とに仕切られ、各々の室内に配置された電動モータとポンプとが同軸構造のシャフト３で連結されている。電動モータは、シャフト３を軸として回転する回転子５と、固定子７とを備えている。
【００１８】
電動モータが動作状態となると、電動モータ室内の回転子が回転し、この回転子と結合されたシャフトを所定速度で回転させる。ポンプ側端部のシャフト外周には、シャフトに対して直交する面内の同一円上に、複数のシリンダ室がシャフト軸方向に沿って形成されたシリンダバレルが配置されている。このシリンダバレルは、上記シャフトの回転に伴って回転する。
【００１９】
各シリンダ室内には、ピストンがシャフト軸方向に摺動可能に配設されており、またこれらピストンはそのヘッド部がそれぞれ、クレードル軸受に枢止された斜板に相対摺接回転可能に保持されており、シャフトの回転に伴って、シリンダバレルが回転すると、ピストンのヘッド部はシャフトの軸心回りに斜板上を摺接周回運動する。
【００２０】
この斜板が所定角度で傾斜していると、その傾斜に対応して斜板とシリンダバレルとの間隔に変化が生じており、ピストンはそのヘッド部が斜板上を周回運動する間に前記間隔の変化に応じてシリンダ室内での位置を変え、シリンダ室内を往復運動することになる。
【００２１】
ハウジング１の電動モータ室側のシャフト３に対向する面には、開口部１１が設けられており、この開口部１１は樹脂製の透明蓋１３で塞がれ、ビス１７止めにより密閉されている。尚、透明蓋１３には、強化ガラス製のものを用いてもよい。また、半透明のものを用いてもよい。
【００２２】
本実施形態のモータ部は、固定子７と、回転子５と、シャフト３と、ローラクラッチ２１と、回転検出軸１９とを備えている。
【００２３】
回転検出軸１９は、端部をハウジング１の開口部１１内に挿入し、軸受２３によってハウジングに回動可能な状態で保持されている。そして、回転検出軸１９の端面には、図２に示すマーク１５が施されている。ハウジング１の開口部１１は透明蓋１３で塞がれている。このため、作業者は、装置外部から回転検出軸１９の端面を観察できるようになっている。
【００２４】
モータシャフト３には、孔部が設けられており、この孔部内に回転検出軸１９の他端が挿入されている。
【００２５】
ローラクラッチ２１は、シャフト３の孔部内壁面と回転検出軸１９外周面との間隙に圧入されている。ローラクラッチ２１は、シャフト３が逆回転したときに回転検出軸１９と噛み合い、シャフト３の回転を回転検出軸１９に伝達するようになっている。一方、シャフト３が正回転したときには、ローラクラッチ２１は回転検出軸１９とは噛み合わず空転し、従ってシャフト３の回転は回転検出軸１９には伝達されず、回転検出軸１９は停止状態を保つようになっている。
【００２６】
このため、シャフトが正回転した場合には、端面のマーク１５は停止しているが、シャフト３が逆回転した場合には、端面のマーク１５も回転する。従って、作業者は、装置外部から透明蓋１３を介して回転検出軸１９端面のマーク１５が停止しているか、回転しているかを確認することによって、容易にシャフト３の回転方向を検出することが可能となる。
【００２７】
【発明の効果】
以上説明したとおり、本発明は、電動機の回転方向を外部から容易に検出することができるため、騒音防止、装置のコンパクト化、油の外部漏れ防止を図りつつ、装置を正確かつ安全に動作させることができるという効果がある。
【００２８】
また、本発明は、電動機の回転方向を外部から直ちに検出することができるため、作業効率を向上させることができるという効果がある。
【００２９】
更に、本発明は、電動機の回転方向を外部から直ちに検出することができるため、装置が誤動作した場合でも、誤動作がモータの逆回転を原因とするものか否かを瞬時に判断することができ、作業者に無用の混乱を起こさせ、誤った判断を行うことを回避することができる。
【図面の簡単な説明】
【図１】  第一実施形態に係るモータ一体型油圧ポンプ装置の全体構成図である。
【図２】  第一実施形態に係るモータ一体型油圧ポンプ装置の回転検出軸端面のマークの構成図である。
【符号の説明】
１：  ハウジング
３：  シャフト
５：  回転子
７：  固定子
１１：  ハウジング開口部
１３：  透明蓋
１５：  マーク
１７：  ビス
１９：  回転検出軸
２１：  ローラクラッチ
２３：  軸受
【図１】
0004175584.tif 000002
【図２】
0004175584.tif 000003